(57)【要約】【目的】患者自身で適所な患部にシップを手軽で簡単にしわになったり、偏ったりする事なく貼る事を可能とし、自身の腰痛  肩こり  関節痛  打撲捻挫  筋肉痛  骨折痛  しもやけ  かゆみといった苦痛を暖和するローラー式シップ貼り具を提供する。【構成】ハンドルの付いたローラーの表面にマジックテープを適宜位置に適宜幅設けたローラー式シップ貼り具を構成する。【特許請求の範囲】
【請求項１】
ハンドルの付いたローラーの表面にマジックテープを適宜幅に適宜位置を設けたローラー式シップ貼り具。
【請求項２】
請求項１に記載したマジックテープは硬質と軟質の異なった性質をもった素材から成り立っている物であるためこの場合硬質素材の方だけを用いたローラー式シップ貼り具。
【請求項３】
請求項１  請求項２のマジックテープはハンドルの付いたローラーの表面に適宜幅に適宜位置を設けシップ剤の裏面を貼り付けハンドルを用いてローラーを回転させて使用するローラー式シップ貼り具。
【請求項４】
請求項１から請求項３までのマジックテープはローラーに対して縦  横  斜めどちら向きにでも自由に設けてかまわないローラー式シップ貼り具。
【発明の詳細な説明】
【０００１】
【発明の属する技術分野】
本発明は、患者自身で適所の患部にシップ剤がしわになったり、偏ったりすることなく簡単にシップを貼る事が可能とし自身の背中  腰等の手の届きにくい位置の苦痛を暖和するローラー式シップ貼り具。
【０００２】
【従来の技術】
従来、背中  腰  肩などの苦痛を軽減する手段として  指圧  あんま  針  灸マッサージ  専門医などの治療の手段が存在したが  特に背中  腰などの苦痛は長期間の苦痛を伴うものであり一時的な治療では苦痛を軽減できるという訳ではなく  高度な専門知識を必要とするので上記専門医にて治療を受けるのが望ましかった。
【０００３】
しかし、これらの専門医の治療は当然有料で行っており  立地的に患者の住居の近くに立地しているとは限らない。そのため時間的余裕、  精神的余裕のない場合に  わざわざ上記専門医の治療を受けに足を運ぶのは経済的にも  精神的  肉体的にも負担が大きかった。
【０００４】
ところが  ひにくなことに打撲  ねんざ  筋肉痛  腰痛  肩こり  関節痛等をそのままにしておくと  数々の肉体的変調が  起こることが多くこれらの肉体的変調を感じながらの日常生活は  きわめて困難という現状であった
【０００５】
【発明が解決しようとする課題】
本発明は上記のような背景に着目して  なされたものであり以下本発明が解決しようとする課題とする患者が専門医院にわざわざ足を運ばなくても  患者自身で適所な患部を手軽に手当てする事が可能とし自身の打撲  ねんざ  筋肉痛腰痛  肩こり  関節痛と言った苦痛を暖和する事が出来るローラー式シップ貼り具を提供する事を課題とする。
【０００６】
【課題を解決するための手段】
請求項１に記載のハンドルの付いたローラーの表面にマジックテープを適宜な位置に適宜幅をもうけシップをしわになったり、偏ったりすることなく手軽に簡単にはれる事を特徴とするものである。
【０００７】
請求項２にマジックテープは硬質素材と軟質素材のことなった素材から成り立っているものであるからこの場合より粘着力の強い硬質素材の方だけを縦  横斜め自由に設ける事を特徴とするものである。
【０００８】
請求項３のローラーの大きさ又は、ハンドルの長さは特に限定した物ではなく適宜な大きさ、適宜な長さであってもかまわないその表面に請求項２のマジックテープを適宜な位置に適宜な幅を設け適所な患部にしわになったり、偏ったりすることなく簡単にシップを貼り手当てすることが出来ることを特徴とするものである。
【０００９】
請求項４に記載のマジックテープはローラーに対して縦  横  斜め自在に設ける事ができることを特徴とするものである。
【００１０】
【発明の実施形態】
本発明の実施の形態を以下図面を参照して説明する
図１は本発明の第一の実施形態を示す実施例図であり適宜な大きさのハンドルの付いたローラーに適宜幅のマジックテープを適宜位置設けてなる。
【００１１】
この発明を使用するときは図１のハンドルの付いたローラーに貼り付けたマジックテープの部分にシップ剤の裏面を貼り付け表面の離経紙を取り除きローラーを患部にあてハンドルを用いてローラーを回転させながりら使用する。
【００１２】
図面２は実施の形態の概略断面図である。
【００１３】
図３は本発明の第一の実施の形態を示す実施例図であり適宜位置に適宜幅のマジックテープを横に設けたものである。
【００１４】
図４は本発明の第一の実施の形態を示す実施例図であり適宜位置に適宜幅のマジックテープを斜めに設けたものである
ローラーにマジックテープを固定する手段は特に限定したものではなく、単に接着剤などで直接ローラーに貼り付けてもかまわない。
【００１５】
図５は本発明の第一の実施の形態を示す実施例図であり左正面を示したものである。
【００１６】
図６は本発明の第一の実施の形態を示す実施例図であり右正面を示したものである。
【００１７】
この発明を使用するときはハンドルの付いたローラーの表面に貼られたマジックテープにシップ剤の裏面をローラー全体に貼り次にシップ剤の表面の離経紙を剥がしそのローラーを患部にあてハンドルを用いてローラーを回転させながら使用する。
【００１８】
尚  本発明のローラー式シップ貼り具はシップを貼るだけでなくローラーそのままをかゆみのある位置に押し当て、上下左右させることによりかゆみを解消することができる。
【００１９】
尚  本発明のローラーの素材や色は特に限定する物ではなくセラミック  磁石ゴム  プラスティック  炭  アルミ  銅とアルミを組み合わせた物  セラミックと磁石を組み合わせた物などがあってもかまわないし赤  青  黄色といった様々な配色をするとカラフルに楽しく使用することができる。
【００２０】
【発明の効果】
本発明のローラー式シップ貼り具は独居老人などが慢性の腰痛  肩こり  関節痛をもちながら立地的条件  時間的余裕  経済的余裕  肉体的余裕がなく、専門医や治療院に足を運ぶことが困難な場合、自身に簡単に手軽に苦痛やかゆみを解消することができる。
【００２１】
また本発明のローラー式シップ貼り具のハンドル部分は固定した物に限らない長さも適宜であり、また折りたたみ式でもかまわない  自在にすることにより一層使い勝手がよく持ち運びも便利である。
【００２２】
更に本発明のローラー式シップ貼り具はどのような素材  模様  色  柄を用いてもかまわないことから、使用者や見ているものに綺麗とか使ってみようといった感情を与えることができる。
【００２３】
しかもローラーに色  柄  模様を用いているため室内の装飾品にもなり心にやさしさを与えることができる。
【００２４】
【図面の簡単な説明】
【図１】図面１は  本発明の第一の実施の形態を示す実施例図である。
【図２】図面２は  図面１の実施の形態の概略断面図である。
【図３】図面３は本発明の第二の実施の形態を示す実施例図である。
【図４】図面４は本発明の第三の実施の形態を示す実施例図である。
【図５】図面５は本発明の右面の実施の形態を示す実施例図である。
【図６】図面６は本発明の左正面の実施の形態を示す実施例図である。
【符号の説明】
１．ローラー式シップ貼り具
２．マジックテープ
３．ローラー
４．ハンドル
５．止め具
【図１】
2004255146.tif 000002
【図２】
2004255146.tif 000003
【図３】
2004255146.tif 000004
【図４】
2004255146.tif 000005
【図５】
2004255146.tif 000006
【図６】
2004255146.tif 000007